(57)【要約】【課題】本発明は、引戸式門扉の一端に開閉扉を設けることによって、移動手段による門扉の圧死事故を防ぐとともに、組み合せによっては、複数の開閉扉を設置する構造も可能であり、さらには、通常の引戸式門扉として使用できる構造を有する開閉扉付引戸式門扉を提供することを目的とするものである。【解決手段】引戸式門扉と、開閉扉とで構成される開閉扉付引戸式門扉であって、引戸式門扉の縦框部及び開閉扉の縦框部に夫々に設けられたヒンジ機構を介して引戸式門扉と開閉扉とが連結する。また、既存の引戸式門扉の縦框部にヒンジ機構を取り付け、該引戸式門扉に、縦框部にヒンジ機構を設けた開閉扉を、夫々に設けられたヒンジ機構を介して連結・取り付ける改修方法である。【選択図】図1
2007186885.tif 000002
【特許請求の範囲】
【請求項１】
引戸式門扉と、開閉扉とで構成される開閉扉付引戸式門扉であって、引戸式門扉の縦框部及び開閉扉の縦框部に夫々に設けられたヒンジ機構を介して引戸式門扉と開閉扉とが連結されていることを特徴とする開閉扉付引戸式門扉。
【請求項２】
既存の引戸式門扉の縦框部にヒンジ機構を取り付け、該引戸式門扉に、縦框部にヒンジ機構を設けた開閉扉を、夫々に設けられたヒンジ機構を介して連結・取付ることを特徴とする開閉扉付引戸式門扉への改修方法。
【発明の詳細な説明】
【技術分野】
【０００１】
本発明は、学校、工場、競技場、イベント会場等の大型施設の出入口に備えられる開閉扉付引戸式門扉に関するものである。
【背景技術】
【０００２】
従来の学校、工場、競技場、イベント会場等の大型施設に備えられる引戸式門扉は、単なる枠体で形成される引戸式門扉であって、特に学校の校門に使用される場合、朝の登校時に遅刻しそうな生徒が校門に無理に駆け込もうとする等の際、定刻通りに閉門する引戸式門扉に挟まれて圧死するという痛ましい事故が発生するなど、引戸式門扉を使用する閉門手段の危険性が指摘されていた。
【０００３】
一方、学校、工場などの開口幅の大きい門扉の移動ならびに開閉を可能とした「引戸門扉」（特開２００４−２５７０８６号公報）が提案されているが、該引戸式門扉は、開閉扉が引戸式門扉の戸先端に位置し、常時引戸門扉の戸先端側に出入り口が偏って設けられるため、通路に対して通行人を中央に導くことが難しく、また連続した扉体ユニット仕様においては、さらに偏った状態を解決できないでいた。さらにまた、開閉扉の格納ロック装置が扉体内に設けられていないため、引戸式門扉の戸先端に設けられる開閉扉が、常に移動方向に対して直線的に閉じた状態において移動させなければならず、結果的に開閉扉が常備される状態で使用せざる負えないものであった。
【特許文献１】特開２００４−２５７０８６号公報
【発明の開示】
【発明が解決しようとする課題】
【０００４】
本発明は、かかる問題点に鑑み、引戸式門扉の一端に開閉扉を設けることによって、移動手段による門扉の圧死事故を防ぐとともに、組み合せによっては、複数の開閉扉を設置する構造も可能であり、さらには、通常の引戸式門扉として使用できる構造を有する開閉扉付引戸式門扉を提供することを目的とするものである。
【課題を解決するための手段】
【０００５】
上記課題を達成するため、本発明は、引戸式門扉と、開閉扉とで構成される開閉扉付引戸式門扉であって、引戸式門扉の縦框部及び開閉扉の縦框部に夫々に設けられたヒンジ機構を介して引戸式門扉と開閉扉とが連結された構造を採用している。
【０００６】
また、本発明は、既存の引戸式門扉の縦框部にヒンジ機構を取り付け、該引戸式門扉に、縦框部にヒンジ機構を設けた開閉扉を、夫々に設けられたヒンジ機構を介して連結・取付る開閉扉付引戸式門扉への改修方法である。
【発明の効果】
【０００７】
本発明に係る開閉扉付引戸式門扉によれば、門の通行を行う場合に、車の通行等、引戸式門扉を使用せざるを得ない場合を除き、通常は開閉扉を用いることで、上述した校門などで引戸式門扉に挟まれて圧死するという痛ましい事故を防ぐことができる。
【０００８】
また、本発明に係る開閉扉付引戸式門扉によれば、二つの引戸式門扉の中間に開閉扉を設けた構造を採用した場合、閉門手段を中央の開閉扉で行うことにより、開閉扉の後方の開放スペースを通路の間口幅内の中央において確保できる。さらに、開閉扉の左右の開閉方向を自在に選択できるため、利便性が高いといった優れた効果を奏する。
【０００９】
さらに、開閉扉付引戸式門扉を連続して設けた構造を採用した場合は、イベント会場などで使用される際など、イベントの収容人数に合わせて入場門の設置場所と個数を任意に設定できる。また、設置する規模や現場に合わせて開閉扉と引戸式門扉の構成内容を任意に選択することができ、さらには、開閉扉付引戸式門扉を分割または連結して任意に移動することができるという有利な効果を奏する。
【００１０】
またさらに、二つの引戸式門扉の中間に設けられる開閉扉を分割した構造を採用した場合は、観音扉として利用することができるため、学校や競技場で利用する場合、少人数と大人数の入場者数に対応して入場口の開閉扉の構成を任意に選択できる。
また、工場などで利用する場合は、大型機械の搬入時や通勤者の時間的利用状況に合わせ通用門の長さと出入り口の仕様を選択できるという優れた効果も発揮する。
【００１１】
そしてまた、従来の引戸式門扉を本発明の開閉扉付引戸式門扉に改修する手段を採用した場合は、既存の引戸式門扉を、簡単に低コストで本発明の開閉扉付引戸式門扉とすることができる。
【発明を実施するための最良の形態】
【００１２】
以下、本発明にかかる開閉扉付引戸式門扉及びその改修方法の実施形態を図面に基づいて説明する。なお、引戸式門扉には片開き及び両開きがあるが、両開きを例にして説明する。また、説明の便宜上、引戸式門扉の閉門に向かう先方側を前方とし、開門に向かう先方側を後方とする。
【００１３】
図１は、本発明にかかる開閉扉付引戸式門扉１の全体図であり、図１( a )は、使用状態における正面図、図１（ｂ）は開閉扉の開放状態を示す平面図である。該開閉扉付引戸式門扉１は、引戸式門扉と、開閉扉とで構成されている。
【００１４】
引戸式門扉は、通常の構造からなり、下部には走行ローラーが備えられ、場合によっては落ち込み棒式のロック装置等が装備される。そして、両開き式の引戸式門扉におけるいずれか一方の前方縦框部にヒンジ機構が設けられ、他方の前方縦框部にはロック機構が設けられる。
【００１５】
開閉扉は、一方の縦框部にヒンジ機構が設けられ、他方の縦框部にはロック機構が設けられる。そして、引戸式門扉の縦框部及び開閉扉の縦框部に夫々設けられたヒンジ機構を介して、引戸式門扉と開閉扉とが連結されることとなる。開閉扉の閉門時には、引戸式門扉の縦框部及び開閉扉の縦框部に夫々設けられたロック機構により、引戸式門扉と開閉扉とがロックされることとなる。
【００１６】
ヒンジ機構１１については、一般的な中間ヒンジコマを介して回動することにより、開閉扉の回動運動、連結手段、格納状態にする機能を有する構造を採用することが考えられるが、その手段、形状、構造、位置、数量において特に限定するものではない。なお、落とし込みピンを外すことにより、開閉扉５と引戸式門扉を分離・移動することができるようにすることが望ましい。
【００１７】
ロック機構については、一般的なもので足り、その形状、構造、位置、数量において特に限定するものではない。例えば、回動する閂杆の先端部の突起により施錠機能と連結機能を共有する構造を有する閂機構等が考え得る。
【００１８】
なお、図面に示すように、ストッパー機構を設ける態様も考えられる。該ストッパー機構については、引戸式門扉と開閉扉の上部横框部に落としこみ孔を設け、落とし込みピンを挿入することにより開閉扉の開閉ストッパーの役割を果たす。このとき、本発明の実施態様におけるストッパー機構は、開閉扉の開閉ストッパーの役割を果たすものであって、その形状、構造、位置、数量において特に限定するものではない。かかるストッパー機構を設けることで、開閉扉が全開放の状態で係止されることによって、従来の引戸式門扉としても使用することができ、さらにストッパー装置を外すことによって、開閉扉付引戸式門扉１として使用することができる
【００１９】
なお、図面では、両開き式の引戸式門扉に開閉扉が取り付けられた態様について示しているが、片開き式の引戸式門扉の場合であっても同様の構造を採り得る。このとき、引戸式門扉の縦框部にロック機構を設ける代わりに、門柱にロック機構が設けられることとなる。  
【００２０】
図２は、本発明にかかる開閉扉付引戸式門扉１の開閉扉を２枚設けて、観音開き式とした仕様の実施形態を示す全体図である。２枚の開閉扉が突き合わされる縦框部夫々にロック機構が設けられ、他方の縦框部に夫々ヒンジ機構が設けられる構造となる。
【００２１】
また、特に図示してはいないが、本発明にかかる開閉扉付引戸式門扉１を連続して連結した実施形態も考え得る。かかる態様を採用した場合は、開閉扉５と引戸式門扉２を任意に組み合せることができ、テーマパークの入場門のように、入り口の数や大きさによって人数制限や通行人の流れを調整するなどの使用目的や、門の規模等にあわせた対応が可能となる。
【００２２】
図３は、本発明にかかる開閉扉付引戸式門扉１のストッパー装置の実施形態を示しており、図３( a )は、 ストッパー装置を解除した状態の拡大斜視図、図３（ｂ）はストッパー装置をロックした状態の拡大斜視図である。ハンドルが設けられたＣ型状の一部を開口したフランジを引戸式門扉の後方における上部横框部に取り付け、一方、門柱に係止アームを設けることで、フランジにより該係止アームを掴持させ、開閉扉付引戸式門扉を係止する構造である。
【００２３】
なお、ストッパー装置について、図面に示すような構造に限定するものではなく、開閉扉付引戸式門扉の移動ストッパーの役割を果たすものであれば、その形状、構造、位置、数量において特に限定するものではない。
【００２４】
図４は、本発明にかかる開閉扉付引戸式門扉１の改修手段を示す説明図である。以下、既存の引戸式門扉を本発明の開閉扉付引戸式門扉１に改修する工程を、順を追って説明する。
【００２５】
まず、既存の引戸式門扉（図４（ａ））における前方側の縦框部に、ヒンジ機構を取り付ける（図４（ｂ））。次に、縦框部にヒンジ機構を設けた開閉扉を用意し引戸式門扉に、該開閉扉を夫々に設けられたヒンジ機構を介して連結・取付ける（図４（ｃ））。以上の工程により、本発明に係る開閉扉付引戸式門扉１への改修は終了する。
【図面の簡単な説明】
【００２６】
【図１】本発明にかかる開閉扉付引戸式門扉を示す全体図である。
【図２】本発明にかかる開閉扉付引戸式門扉を示す全体図である。
【図３】本発明にかかる開閉扉付引戸式門扉の引戸式門扉の門柱に取付けられるストッパー装置を示す拡大斜視図である。
【図４】本発明にかかる開閉扉付引戸式門扉への改修手段を示す説明図である。
【符号の説明】
【００２７】
１    開閉扉付引戸式門扉
２    引戸式門扉                        
３    開閉扉
４    ヒンジ機構
５    縦框部
６    走行ローラー
７    ロック装置
８    ロック機構
９    門柱
１０    ストッパー装置
１１    ハンドル
１２    フランジ
１３    係止アーム
【図１】
2007186885.tif 000003
【図２】
2007186885.tif 000004
【図３】
2007186885.tif 000005
【図４】
2007186885.tif 000006